(57)【要約】【課題】本発明は、照明器具取付を簡略化することができるとともに、照明器具の平面化及び中央部分にも光源を具備することができる照明器具を提供する。【解決手段】器具本体と、器具本体の表面に配置されるＬＥＤと、を有し、該器具本体の中心部から３.５ｃｍ以内にもＬＥＤが配置され、前記器具本体は、屋内配線器具と接続する引掛け接続部７と、前記ＬＥＤが配置された側から前記屋内配線器具及び前記引掛け接続部が視認できる開口部又は透光カバー窓を具備しており、前記屋内配線器具と照明器具の固定を解除する器具固定解除ボタンが前記器具本体の表面に具備されている。【選択図】図１
2019061757.tif 000002
【特許請求の範囲】
【請求項１】
器具本体と、器具本体の表面に配置されるＬＥＤと、を有し、
該器具本体の中心部から３.５ｃｍ以内にもＬＥＤが配置され、
前記器具本体は、屋内配線器具と接続する引掛け接続部７と、前記ＬＥＤが配置された側から前記屋内配線器具及び前記引掛け接続部が視認できる開口部又は透光カバー窓を具備しており、前記屋内配線器具と照明器具の固定を解除する器具固定解除ボタンが前記器具本体の表面に具備されていることを特徴とするＬＥＤ照明器具。
【請求項２】
上記請求項１のＬＥＤ照明器具にて、前記ＬＥＤは天井に具備された前記屋内配線器具の表面からの距離が０.４〜４ｃｍ離れたところに配置させることを特徴とするＬＥＤ照明器具。
【請求項３】
前記器具本体は、器具傾斜面を有する略凸形状をしており、
前記開口部又は前記透光カバー窓は、前記器具傾斜面に設けられており、
前記ＬＥＤの一部は前記器具傾斜面に配置されていることを特徴とする請求項１又は２に記載のＬＥＤ照明器具。
【請求項４】
各ＬＥＤチップから放射される可視光を拡散しグレアを抑制するカバーを各ＬＥＤチップに具備することを特徴とする請求項１乃至３の何れか１項に記載のＬＥＤ照明器具。
【発明の詳細な説明】
【技術分野】
【０００１】
本発明は、複数のＬＥＤ(Light  Emitting  Diode)素子を光源として備えるＬＥＤ照明器具に関するものである。
【背景技術】
【０００２】
従来、光源としてＬＥＤを用いたＬＥＤ照明器具としては、例えば、特許文献１及び特許文献２に開示されたＬＥＤを用いた照明器具に限らず、天井直付け照明器具（シーリングライト）のように天井に取付けられた屋内配線器具（引掛けシーリングボディ等）に電気的及び機械的に接続されるアダプター（キャップ）とこのアダプターを器具中央に設けされた円形の空間部分をはめ込むことで、アダプターに支持される照明器具本体と、アダプターから器具本体へ電力を供給する配線を具備した天井直付け形がＬＥＤ照明器具としても広く採用されている。
【先行技術文献】
【特許文献】
【０００３】
【特許文献１】特開２００２-１５２０８８号公報
【特許文献２】特開２０１４-１７９３４９号公報
【発明の概要】
【発明が解決しようとする課題】
【０００４】
特許文献１に開示された照明装置では、第一段階の作業として天井に取付けられた屋内配線器具（引掛けシーリングボディ等）に電気的及び機械的に接続されるアダプター（キャップ）を取付け更に、屋内配線器具から脱落防止の爪が固定されているか、アダプターを回して確認する。第二段階の作業として、キャップに設けられた照明器具支持部に照明器具をはめ込むため、重量のある照明器具を天井付近まで持ち上げる必要があった。さらに、アダプターから電気的に配線された接続線を器具に接続する高所作業を必要としていた。
【０００５】
更に器具を取り付ける為に器具中央に円形の開口部あることで、器具中央部にＬＥＤ光源を具備することが出来ない問題があった。
【０００６】
また、特許文献２に開示された装置では、天井に取付けられた屋内配線器具に電気的及び機械的に接続されるアダプターを照明器具に固定する取付け部があるため、キャップ部分および取付け部のスペースを配慮しＬＥＤを点灯させるために必要な回路基板を具備しなければならない照明器具本体の設計を行う必要があった。
【０００７】
本発明は、器具取付け時にアダプターを予め取付ける必要が無く、更にアダプターと照明器具を固定するための器具中央の円形開口部を設ける必要が無く、器具設計において、従来の器具においてアダプターを取り付ける部分の開口部を照明器具に付ける必要が無いＬＥＤ照明器具を提供することを課題とする。
【課題を解決するための手段】
【０００８】
本発明は、天井に取付けられた屋内配線器具にＬＥＤ照明器具に固定された引掛け取付け部及び屋内配線器具からの脱落防止の爪を備えており、主光源ＬＥＤ素子を配列した器具表面から取付け位置の確認及び固定ができる視認性開口部を設けており、器具表面に脱落防止用機構を解除するボタンスイッチを具備している。また、従来器具のキャップ部を取付けるために器具中央の円形の開口部部分を排除することで主光源のＬＥＤ素子を器具中央にも配置していることを特徴とする。
【発明の効果】
【０００９】
本発明によれば、照明器具本体の取付け作業を器具取付けのみに簡略化でき、さらに従来器具にあったアダプター部及び器具にアダプターを固定する開口部を除くことで器具内スペースを確保するとともに器具全体の高さを低くすることが可能となる。また、照明器具主光源部中央にもＬＥＤ素子を配列することが可能なＬＥＤ照明器具を提供することができる。
【図面の簡単な説明】
【００１０】
【図１】本発明の実施形態に係るＬＥＤ照明器具の主光源ＬＥＤ配置側から見た時の状態を示す外観図である。
【図２】本発明の実施形態に係るＬＥＤ照明器具を天井側から見た時の状態を示す外観図である。
【図３】本発明の実施形態に係るＬＥＤ照明器具を側面から見た時の状態を示す外観図である。
【発明を実施するための形態】
【００１１】
次に、本発明の実施形態に係わるＬＥＤ照明器具について、適宜図面を参照しながら詳細に説明する。なお、本実施形態では円形の物を例に挙げて説明するが、形状はこれに限定されず、例えば、四角計、六角形等の多角形のものにも適用することができる。また、本実施形態では、主光源ＬＥＤが剥き出しとなっているが、ＬＥＤから放射される可視光を拡散させる透光性カバー等を具備しているものにも適用することができる。
【００１２】
また、本実施形態では、以下主照明用光源としてＬＥＤを用いたＬＥＤ照明器具として説明するが、主照明用光源はＬＥＤに限定されるものでない。
【００１３】
図１に示す本実施形態は、ＬＥＤ照明器具の主光源ＬＥＤ配置側から見た時の状態を示す。ＬＥＤ照明器具１００は、照明器具１と、ＬＥＤ素子群ａ２と、ＬＥＤ素子群ｂ３と、ＬＥＤ素子群ｃ４と、器具固定解除ボタン５と、開口部６と、器具傾斜面９と、引掛け接続部７と、器具固定爪部８と、防塵・虫侵入防止機構１０と、により構成されている。ＬＥＤ素子群ａ２や、ＬＥＤ素子群ｂ３や、ＬＥＤ素子群ｃ４を主光源ＬＥＤと称する。引掛け接続部７は、天井等に設けられた屋内配線器具へ引掛けることができる部分である。本実施形態では、照明器具１と引掛け接続部７は一体型となっている。照明器具１とアダプターの屋内配線器具引掛け接続部７が一体型となっていることで、従来は、別途屋内配線器具に取付けていたアダプターを排除することができるという効果を奏する。更に、アダプターを取り付けるために従来設けていた照明器具中央の開口部を開ける必要が無いことから、主光源ＬＥＤ配置側の器具中心部から３.５ｃｍ以内にもＬＥＤを配置できる。これにより、ＬＥＤ素子群２を配列できるという効果を奏する。
【００１４】
またＬＥＤ素子群a２が配列された器具表面と天井面からの距離を(I)とし、ＬＥＤ素子群c４  が配列された器具表面と天井面からの距離を(II)とした場合（II）＜（I）とすることでＬＥＤ素子群２の器具内面に点灯回路等を具備できる空間を確保している。つまり、器具本体１は略凸形状をしており、ＬＥＤ素子群ａ２が配列された器具本体１の表面と、ＬＥＤ素子群ａ４が配列された器具本体１の表面とは、位置が異なり、ＬＥＤ照明器具１００を天井面に取り付けた状態で、（II）＜（I）となる。これにより、ＬＥＤ素子群ａ２が配列された器具本体１の内側に空間を有し、その空間に点灯回路等を具備することができる。
【００１５】
またＬＥＤ素子群a２とＬＥＤ素子群c４を配置している照明器具盤を一体とするため  器具傾斜面９を設けており、その傾斜部分にもＬＥＤ素子群ｂ３を配列している。
【００１６】
なお、天井からの距離（I）＝（II）としＬＥＤ素子群を平面に配列した構造でも良い。この場合は、ＬＥＤ素子群は天井に具備された屋内配線器具表面からの距離が０.４〜４ｃｍ離れたところに配置させることで、照明器具を扁平化し室内空間を広く感じさせる効果が得られる。なお、この距離は４ｃｍ以上離れていても構わない。なお、現行器具のシーリングキャップの厚さ分除いた距離として、０.５〜４ｃｍの距離離れたところに配置させても良い。
【００１７】
また、器具を天井屋内配線器具に取り付けるためＬＥＤ光源配置側から器具内面を通して器具天井側まで貫通して開口部を設け、目視にて取付けを確認できる開口部６を具備している。この開口部は、透過性樹脂による密閉型としても良い。
【００１８】
また、照明器具取付け後、屋内配線器具からの脱落防止機構及び器具固定解除ボタン５を具備している。
【００１９】
図２に示す本実施形態は、図１の照明器具を側面から見た状態を示す。
【００２０】
ここではＬＥＤ素子群ａ２が配列された器具表面と天井面からの距離を(I)及び、ＬＥＤ素子群ｃ４が配列された器具表面と天井面からの距離を(II)が（II）＜（I）の状態の外観図を用いている。
【００２１】
照明器具の回転防止及び脱落防止のため、器具固定爪部８を設けており、屋内配線器具にこの器具固定爪部８を引掛ける。
【００２２】
また照明器具を取り外す場合には、ＬＥＤ配列面に具備している器具固定解除ボタン５を押すことで、器具固定爪部８に連動しており、爪部分が照明器具内に挿入されることで器具を回転させ引掛け接続部７を屋内配線器具から取り外すことが可能となる。
【００２３】
図３は本実施形態における、照明器具を天井面から見た状態を示す。
【００２４】
屋内配線器具に引掛けて電気的に導通する引掛け接続部７及び器具固定爪部８が、従来の引掛けシーリングボディと同様に配置されている。また引掛け接続部７を視認できる位置に取付け確認用に開口部６が具備されている。開口部６から視認できれば良いため、透光カバーなどで覆われている透光カバー窓でも良い。開口部６は器具傾斜面９に設けられている。
【００２５】
このように引掛けシーリングボディを除去し、照明器具本体に引掛け接続部７および器具固定爪部８を具備することで、これまで屋内配線器具（引掛けシーリングボディ等）に電気的及び機械的に接続されるアダプターを取付け更に、屋内配線器具から脱落防止の爪が固定されているか、アダプターを回して確認する。第二段階の作業として、キャップに設けられた照明器具支持部に照明器具をはめ込むため、重量のある照明器具を天井付近まで持ち上げ器具を装着する。
【００２６】
第三段階の作業として、アダプターから電気的に配線された接続線を器具に接続する高所作業を必要としていが、本実施形態にすることで高所作業を器具取付けのみに簡略化することができる。
【００２７】
なお、各ＬＥＤチップから放射される可視光を拡散しグレアを抑制するカバーを各ＬＥＤチップに具備することで照明器具発光面全体を覆う透光性カバーを除くことも可能である。
【符号の説明】
【００２８】
１  照明器具
２  ＬＥＤ素子群ａ
３  ＬＥＤ素子群ｂ
４  ＬＥＤ素子群ｃ
５  器具固定解除ボタン
６  開口部
７  引掛け接続部
８  器具固定爪部
９  器具傾斜面
１００  ＬＥＤ照明器具
【図１】
2019061757.tif 000003
【図２】
2019061757.tif 000004
【図３】
2019061757.tif 000005